(57)【要約】【課題】例えば喫煙がなされる部屋の天井及び壁面等の清浄化が拭き取りなしでできる清浄液及び清浄方法を提供すること。【解決手段】過酸化水素と、アルカリ金属の重炭酸塩とを必須成分として含有すると共に、アルカリ金属の炭酸塩を任意成分として含有する水溶液からなる。過酸化水素の含有量は３〜１５重量％であり、重炭酸塩と炭酸塩の合計の濃度であるトータル炭酸塩濃度が４０〜２００ｍｍｏｌ／Ｌの範囲にあり、かつ、炭酸塩の濃度が、トータル炭酸塩濃度の３０ｍｏｌ％以下である。清浄液に銅イオンを含有させ、その含有量は２０〜１００μｍｏｌ／Ｌの範囲とすることが好ましい。【選択図】図１
2006160949.tif 000002
【特許請求の範囲】
【請求項１】
過酸化水素と、アルカリ金属の重炭酸塩とを必須成分として含有すると共に、アルカリ金属の炭酸塩を任意成分として含有する水溶液からなり、
上記過酸化水素の含有量は３〜１５重量％であり、
上記重炭酸塩と上記炭酸塩の合計の濃度であるトータル炭酸塩濃度が４０〜２００ｍｍｏｌ／Ｌの範囲にあり、
かつ、上記炭酸塩の濃度が、上記トータル炭酸塩濃度の３０ｍｏｌ％以下であることを特徴とする清浄液。
【請求項２】
請求項１において、上記清浄液に銅イオンを含有させ、その含有量は２０〜１００μｍｏｌ／Ｌの範囲とすることを特徴とする清浄液。
【発明の詳細な説明】
【技術分野】
【０００１】
本発明は、例えば室内の天井や壁面の汚れを落とすために使用する清浄液に関する。
【背景技術】
【０００２】
例えば、喫煙がなされる部屋の天井及び内壁面は、たばこの煙に含有されている成分（ヤニ）等の有機物が付着して、汚染される。このような天井や壁面等の被清浄部を清浄化する場合には、通常は洗剤を塗布して汚れ成分を拭き取る作業を行うのが通常である（例えば、特許文献１参照）。
【０００３】
しかしながら、天井や壁面を拭く作業は、非常に重労働であり、また、汚れが拭き取られずに広げられる場合や、ムラになる場合があり、必ずしも十分な清浄効果が得られないこともある。また、吸水性の高い素材、例えば織物、不織布、あるいは紙等を表面に配した壁や天井においては、拭き取り作業自体ができない。
そのため、従来より、拭き取りをすることなく十分な清浄効果が得られる清浄液の開発が望まれていた。
【０００４】
【特許文献１】特開２００３−２２６８９８号公報
【発明の開示】
【発明が解決しようとする課題】
【０００５】
本発明は、かかる従来の問題点に鑑みてなされたもので、例えば喫煙がなされる部屋の天井及び壁面等の清浄化が拭き取りなしでできる清浄液を提供しようとするものである。
【課題を解決するための手段】
【０００６】
第１の発明は、過酸化水素と、アルカリ金属の重炭酸塩とを必須成分として含有すると共に、アルカリ金属の炭酸塩を任意成分として含有する水溶液からなり、
上記過酸化水素の含有量は３〜１５重量％であり、
上記重炭酸塩と上記炭酸塩の合計の濃度であるトータル炭酸塩濃度が４０〜２００ｍｍｏｌ／Ｌの範囲にあり、
かつ、上記炭酸塩の濃度が、上記トータル炭酸塩濃度の３０ｍｏｌ％以下であることを特徴とする清浄液にある（請求項１）。
【０００７】
本発明の清浄液は、上記のごとく、少なくとも過酸化水素とアルカリ金属の重炭酸塩（炭酸水素塩）とを必須成分として含有し、かつ、アルカリ金属の炭酸塩を任意成分として含有している。つまり、アルカリ金属の炭酸塩は含有してもよいし、含有しなくてもよい。そして、上記炭酸塩を含有する場合においても、含有しない場合においても、上記トータル炭酸塩濃度を上記特定の範囲に規制している。また、上記炭酸塩の濃度は、上記トータル炭酸塩濃度の３０ｍｏｌ％以下となるように規制している。これにより、過酸化水素の適度な安定性の維持と、適度な自己分解性の発揮によって、最適な酸化漂白作用を得ることができる。
【０００８】
上記トータル炭酸塩濃度が４０ｍｍｏｌ／Ｌ未満の場合には、過酸化水素の安定性はさらに高くはなるが、これにより酸化漂白作用が弱くなるという問題がある。一方、上記トータル炭酸塩濃度が２００ｍｍｏｌ／Ｌを超える場合には、過酸化水素の自己分解性が著しくなり、この場合も十分な酸化漂白作用が得られなくなる。
【０００９】
また、上記炭酸塩の濃度は、上記のごとくトータル炭酸塩濃度の３０ｍｏｌ％以下とする。上記炭酸塩の濃度がトータル炭酸塩濃度の３０ｍｏｌ％を超える場合には、過酸化水素の自己分解が激しくなり、酸化漂白作用が低下するという問題がある。
【００１０】
本発明の清浄液は、従来より知られる過酸化水素の酸化漂白作用を単に利用したというのではなく、その二次的な成分として、必須成分としてのアルカリ金属の重炭酸塩を上記特定の範囲だけ積極的に添加し、または任意成分としてのアルカリ金属の炭酸塩も上記特定の範囲だけ添加することによって、過酸化水素が持つ酸化漂白作用を最大限発揮しうるようにしたものである。
【００１１】
また、本発明の清浄液は、被清浄部に塗布又は吹き付けるだけで、上記過酸化水素の酸化漂白作用を発揮させることができる。そして、例えばたばこのヤニ等の有機物よりなる汚れ成分は、上記の酸化漂白作用によって分解される。また、清浄液自体も有機物を含んでおらず、その後にかび等が生じるおそれもないので、後に拭き取り作業を行う必要がない。
そして、このような拭き取り不要な清浄液を用いることにより、吸水性の高い素材よりなる拭き取り作業不可能な被清浄部の清浄化も容易となる。
【００１２】
このように、本発明によれば、例えば喫煙がなされる部屋の天井及び壁面等の清浄化が拭き取りなしでできる清浄液を提供することができる。
【００１３】
なお、上記過酸化水素の含有量は３〜１５重量％である。過酸化水素の含有量が３重量％未満の場合には、十分な酸化漂白効果が得られないという問題があり、一方、１５重量％を超える場合には、取り扱いが困難となるという問題が生じる。
【００１４】
次に、本発明の清浄液に銅イオンを含有させ、その含有量は２０〜１００μｍｏｌ／Ｌの範囲とすることが好ましい（請求項２）。この場合には、酸化漂白作用をさらに向上させることができる。銅イオンの含有量が２０μｍｏｌ／Ｌ未満の場合には、銅イオン含有による酸化漂白作用向上効果があまり得られないという問題があり、一方、１００μｍｏｌ／Ｌを超える場合には、清浄液中において難溶性の化合物を生成してしまうおそれがある。また、銅イオンを採用することによって、殺菌作用も発揮させることができる。
【００１５】
また、上記清浄液の使用時には、上記清浄部に対して上記清浄液を接触させる。上記の優れた酸化漂白作用によって清浄化することができる。また、清浄部の種類によっては、塗布又は吹き付けのみを行って、その後の拭き取りを行わずに作業を終えることができる。この場合には、従来のような拭きムラの発生を未然に防止することができる。
【００１６】
また、上記被清浄部は、室内の天井又は壁面であることが好ましい。この場合には、上記の拭き取り不要な清浄方法が有効である。特に、上記天井又は壁面が吸水性の高い素材により構成されている場合には、非常に有効である。ここで、吸水性の高い素材としては、織物、不織布、紙等が少なくとも表面に露出しているものが挙げられる。
【発明を実施するための最良の形態】
【００１７】
上記アルカリ金属の重炭酸塩としては、例えば、炭酸水素ナトリウム、炭酸水素リチウム、炭酸水素カリウム、炭酸水素セシウム等がある。
また、上記アルカリ金属の炭酸塩としては、例えば、炭酸ナトリウム、炭酸リチウム、炭酸カリウム、炭酸セシウム等がある。
【実施例】
【００１８】
（実施例１）
本発明の実施例に係る清浄液につき説明する。
本例では、トータル炭酸塩濃度が相違する清浄液を複数種類作製、その相違による過酸化水素の自己分解性及び酸化漂白作用を観察した。
清浄液としては、すべての過酸化水素濃度を１２重量％に統一し、アルカリ金属の重炭酸塩と、アルカリ金属の炭酸塩の濃度を変更して調製した。また、上記重炭酸塩として炭酸水素ナトリウムを用い、上記炭酸塩として炭酸ナトリウムを用いた。
【００１９】
トータル炭酸塩濃度は、２０ｍｍｏｌ／Ｌ、４０ｍｍｏｌ／Ｌ、１００ｍｍｏｌ／Ｌ、２００ｍｍｏｌ／Ｌ、２２０ｍｍｏｌ／Ｌの５種類とした。
また、トータル炭酸塩濃度に対する炭酸塩の濃度は、０ｍｏｌ％、１５ｍｏｌ％、３０ｍｏｌ％、４０ｍｏｌ％、１００ｍｏｌ％の５種類とした。したがって、調製した清浄液の種類は全部で２５種類である。
なお、本例の清浄液には、過酸化水素、炭酸水素ナトリウム、及び炭酸ナトリウム以外は含有させなかった。
【００２０】
また、上記２５種類の清浄液は、原料として、過酸化水素３４．５重量％の過酸化水素水（関東化学製）、炭酸ナトリウム（炭酸ナトリウム鹿１級（関東化学製））、および炭酸水素ナトリウム（炭酸水素ナトリウム鹿１級（関東化学製））を用い、これらを所定量混合したものを用いた。
【００２１】
次に、上記２５種類の清浄液を用いて、その過酸化水素の自己分解性を示す過酸化水素濃度の減少率を求めた。
過酸化水素濃度の減少率は、試験機器としてＲＱフレックス（メルク製）、試験紙としてリフレクトクァント過酸化物イオン用（１００〜１０００ｍｇ／Ｌ）（メルク製）を用いて測定した。
【００２２】
具体的には、上記各清浄液を所定時間（０分、３０分、１時間、２時間）経過後、試験紙に浸し、ＲＱフレックスにより過酸化物イオン濃度を測定する（濃度によっては、清浄液を希釈し、ＲＱフレックスで測定可能な濃度にして値を計算する）。
次に、各清浄液ごとに、経過時間を横軸に、過酸化物イオン濃度を縦軸にして上記測定値をプロットし、プロット点に対応する直線を引く。その直線の傾きを求めることにより、単位時間あたりの過酸化物濃度の変化量、つまり、過酸化水素濃度の減少率（ｍｇ／Ｌ／ｓ）を求める。得られた値をトータル炭酸塩濃度ごとに折れ線で示したものが図１である。同図は、横軸に、トータル炭酸塩濃度に対する炭酸ナトリウムの割合（ｍｏｌ％）を、縦軸に、単位時間あたりの過酸化水素濃度の減少率（ｍｇ／Ｌ／ｓ）をとったものである。なお、同図には、トータル炭酸塩濃度が２０ｍｍｏｌ／Ｌの折れ線をＡ１、４０ｍｍｏｌ／Ｌの折れ線をＡ２、１００ｍｍｏｌ／Ｌの折れ線をＡ３、２００ｍｍｏｌ／Ｌの折れ線をＡ４、２２０ｍｍｏｌ／Ｌの折れ線をＡ５として示した。
【００２３】
次に、上記２５種類の清浄液を用いて、その酸化漂白作用を評価した。
まず、汚れ成分（ヤニ）を、たばこを用いて作製した。たばこ（セブンスター：日本たばこ産業（株）製）２０本を１Ｌの水に２４時間漬けておき、色素を抽出する。抽出した液を濾過し、３０ｍｌに定容する。
この汚れ成分１ｍｌに対して、清浄液を混合して、全量で３０ｍｌとした。そして、汚れ成分の酸化漂白度合いを目視により観察して評価した。その結果を表１に示す。最も酸化漂白作用が非常に高い場合を◎、良好な場合を○、酸化漂白作用が低い場合を×として示した。
【００２４】
【表１】
2006160949.tif 000003
【００２５】
図１及び表１より知られるごとく、トータル炭酸塩濃度に対する炭酸ナトリウムの割合が４０ｍｏｌ％以上の場合には、過酸化水素の自己分解が著しくなり、（図１）、酸化漂白作用も低下する（表１）ことがわかる。
一方、トータル炭酸塩濃度に対する炭酸ナトリウムの割合が３０ｍｏｌ％以下の場合には、過酸化水素濃度の減少率はある程度少なく安定しており、酸化漂白作用の効果も良好である。
【００２６】
また、トータル炭酸塩濃度の点から見てみると、最も高濃度の２２０ｍｍｏｌ／Ｌの場合には、過酸化水素の自己分解が著しく、また、酸化漂白作用の効果も弱くなる。
一方、最も低濃度の２０ｍｍｏｌ／Ｌの場合には、自己分解作用は最も少ないが、酸化漂白作用も乏しい。
【００２７】
以上の結果から、トータル炭酸塩濃度に対して炭酸ナトリウムの割合が０〜３０ｍｏｌ％の範囲であり、且つ、トータル炭酸塩濃度が４０ｍｍｏｌ／Ｌ〜２００ｍｍｏｌ／Ｌの範囲が、自己分解性と酸化漂白作用の両方の観点から最も効果の高い範囲であることがわかる。
【００２８】
（実施例２）
本例では、本発明の清浄液において銅イオンを添加することによる効果を評価した。
本例の清浄液としても、すべての過酸化水素濃度を１２重量％に統一し、炭酸水素ナトリウムと炭酸ナトリウムの濃度を変更して調製した。さらに、本例では、銅イオンを添加した。
【００２９】
トータル炭酸塩濃度は、２０ｍｍｏｌ／Ｌ、４０ｍｍｏｌ／Ｌ、１００ｍｍｏｌ／Ｌ、２００ｍｍｏｌ／Ｌ、２２０ｍｍｏｌ／Ｌの５種類とした。
また、トータル炭酸塩濃度に対する炭酸塩の濃度は、すべて３０ｍｏｌ％に統一した。
また、銅イオンの含有量は、１０μｍｏｌ／Ｌ、２０μｍｏｌ／Ｌ、５０μｍｏｌ／Ｌ、１００μｍｏｌ／Ｌ、１１０μｍｏｌ／Ｌの５種類とした。したがって、調製した清浄液の種類は全部で２５種類である。
【００３０】
また、本例では、上記２５種類の清浄液は、各種の原料を混合して作製した。
具体的には、原料として、過酸化水素３４．５重量％の過酸化水素水（関東化学製）、炭酸ナトリウム（炭酸ナトリウム鹿１級（関東化学製））、炭酸水素ナトリウム（炭酸水素ナトリウム鹿１級（関東化学製））、及び銅標準液１０００ｐｐｍ（硝酸銅）（Ｗａｋｏ製）を用い、これらを所定量混合したものを用いた。
【００３１】
次に、上記２５種類の清浄液を用いて、実施例１と同様にして、過酸化水素濃度の減少率を求めると共に、酸化漂白作用を評価した。
過酸化水素濃度の減少率を図１に合わせて記載すると共に、表２に酸化漂白作用の評価結果を示した。図１での記載は、３種類のみを代表として、トータル炭酸塩濃度が４０ｍｍｏｌ／Ｌの折れ線をＢ１、１００ｍｍｏｌ／Ｌの折れ線をＢ２、２００ｍｍｏｌ／Ｌの折れ線をＢ３として示した。
【００３２】
【表２】
2006160949.tif 000004
【００３３】
図１より知られるごとく、過酸化水素の自己分解性の傾向は、実施例１と同様であり、銅イオンの含有の有無はあまり影響しなかった。
酸化漂白作用については、表２より知られるごとく、まず、銅イオンの濃度が１１０μｍｏｌ／Ｌの場合には、その塩と酸化漂白作用を示さない難溶性の沈殿化合物を形成されてしまい、清浄液として機能しなかった。
また、銅イオン濃度が１０μｍｏｌ／Ｌの場合には、一応良好な酸化漂白作用が得られたが、銅イオン濃度が２０〜１００μｍｏｌ／Ｌの場合には、実施例１の場合よりも優れた酸化漂白作用が得られた。
また、トータル炭酸塩濃度が２０ｍｍｏｌ／Ｌの場合及び２２０ｍｍｏｌ／Ｌの場合には、いずれも十分な酸化漂白作用が得られなかった。
【００３４】
以上の結果から、本発明の清浄液は、銅イオンを２０〜１００μｍｏｌ／Ｌの範囲で添加することによって、無添加の場合よりも酸化漂白作用が向上することがわかる。
なお、本例では、トータル炭酸塩濃度に対する炭酸ナトリウム濃度が３０ｍｏｌ％の場合の結果のみを示したが、これが０ｍｏｌ％、１５ｍｏｌ％の場合も同様である。
【図面の簡単な説明】
【００３５】
【図１】実施例における、各清浄液の過酸化水素の自己分解性を示す説明図。
【図１】
2006160949.tif 000005